(57)【要約】      （修正有）【課題】温室等の空間内を昇温する加温機の熱源として、木屑、木片、薪、剪定材、落ち葉、竹材、廃材等のバイオマスを燃料として用い、無煙無臭で燃焼させることによって環境的にも衛生的な状態で、加温機に熱源を安価に供給することができるようにした加温機熱源装置を提供する。【解決手段】温室等の空間内を昇温するようにした加温機２に熱源を供給する加温機熱源装置１において、天部と底部を開口した筒体３ａの側周部に多数の空気孔１６ｂを形成すると共に該筒体の内部に燃焼物を投入して燃焼させるようにした燃焼筒３を受皿１９の内部に立設し、燃焼筒の上端の開口の上方に該燃焼筒の筒体の内径よりも小なる内径を有する内筒２０を設けると共に、該内筒の外周及び上方に空間を空けて包囲してなる外筒４の天部に天板５ａを設けて閉塞し、さらに外筒の下部付近の側部に開口して設けた排気筒１３を加温機の熱源導入口に接続するようにした。【選択図】図１
2014169826.tif 000002
【特許請求の範囲】
【請求項１】
温室等の空間内を昇温するようにした加温機に熱源を供給する加温機熱源装置において、天部と底部を開口した筒体の側周部に多数の空気孔を形成すると共に該筒体の内部に燃焼物を投入して燃焼させるようにした燃焼筒を受皿の内部に立設し、燃焼筒の上端の開口の上方に該燃焼筒の筒体の内径よりも小なる内径を有する内筒を設けると共に、該内筒の外周及び上方に空間を空けて包囲してなる外筒の天部に天板を設けて閉塞し、さらに外筒の下部付近の側部に開口して設けた排気筒を加温機の熱源導入口に接続するようにしたことを特徴とする加温機熱源装置。
【請求項２】
燃焼筒の上端の外周に設けたフランジの複数個所に燃焼筒の高さよりも長尺の支持棒を設け、該燃焼筒を複数の支持棒で立設状態に支持することによって該燃焼筒の高さを高くすることにより、該燃焼筒の内部に木材や竹材等のように長尺を有する可燃物を縦方向に投入して燃焼可能としたことを特徴とする請求項１記載の加温機熱源装置。
【請求項３】
燃焼筒を載置する支持台の下部に高さ調節装置を設けることによって燃焼筒の高さを調節可能にしたことを特徴とする請求項１又は２記載の加温機熱源装置。
【請求項４】
燃焼筒の上端に該燃焼筒の筒体の内径よりも小なる内径に絞った絞り筒部材を被せ、該絞り筒部材の周部に設けた複数のボルトのねじ込み調節によって絞り筒部材の下部に形成される隙間を調節可能にしたことを特徴とする請求項１、２又は３記載の加温機熱源装置。
【請求項５】
燃焼筒の外周に隙間を有して囲繞する燃焼部外筒を設け、該燃焼部外筒の下端外周に設けたフランジに複数のボルトをねじ込み、これらのボルトのねじ込み調節によって燃焼筒の下部に形成される隙間を調節可能にしたことを特徴とする請求項１、２、３又は４記載の加温機熱源装置。
【請求項６】
温室等の空間内を昇温するようにした加温機に熱源を供給する加温機熱源装置において、天部と底部を開口した筒体の側周部に多数の空気孔を形成すると共に該筒体の内部に燃焼物を投入して燃焼させるようにした燃焼筒を受皿の内部に立設し、燃焼筒の上端の開口の上方に該燃焼筒の筒体の内径よりも小なる内径に絞った絞り筒部材を被せ、該絞り筒部材の上部開口の上方に斜め方向に傾斜した排気筒を設け、該排気筒を加温機の熱源導入口に接続するようにしたことを特徴とする加温機熱源装置。
【請求項７】
燃焼筒の外周に隙間を有して囲繞する燃焼部外筒を設け、該燃焼部外筒の下端外周に設けたフランジに複数のボルトをねじ込み、該ボルトのねじ込み調節によって燃焼筒の下部に形成される隙間を調節可能にしたことを特徴とする請求項６記載の加温機熱源装置。
【請求項８】
燃焼筒の内部に木材や竹材等の可燃物を投入する場合、該可燃物を縦方向に入れて該可燃物の上部に着火するようにしたことを特徴とする請求項１、２、３、４、５、６又は７記載の加温機熱源装置。
【発明の詳細な説明】
【技術分野】
【０００１】
本発明は、温室等の空間内を昇温する加温機の熱源として従来使用されてきた灯油や重油に代わり、木屑、木片、薪、剪定材、落ち葉、竹材、廃材等のバイオマスを燃料として用いることができる加温機熱源装置に関する。
【背景技術】
【０００２】
ビニールハウス等の温室を昇温するために従来から用いられているバーナー式の加温機は、灯油や重油を熱源として用いるものである。そのような加温機の従来例としては、特許文献１に示すように、バーナーとバーナーに風を送る送風手段とを備え、バーナーから乾燥対象物に熱風を当てる乾燥機を構成したものがある。また、そのほかにも、バーナー式の加温機は、農業や牧畜業等の分野でも広く使用されているが、いずれの加温機も、熱源として灯油や重油を用いるため、この灯油や重油の価格が高騰すると、運転コストが高くなるという問題があった。
【０００３】
一方、灯油や重油の価格が高騰するに伴い、これらの灯油や重油に代わり、木屑、木片、薪、剪定材、落ち葉、竹材、廃材等のバイオマスを燃料として用いることにより、熱源を安価に供給することが期待される。しかしながら、バイオマスの燃焼において、煙や臭いを含む排気ガスが発生すると、周辺の空気環境に対して悪影響を与えることとなる。従って、従来から、上記のような安価なバイオマスを燃料とすることができ、燃焼によって発生する排気ガスが、無煙無臭の状態で可動するようにした装置の開発が望まれていた。
【先行技術文献】
【特許文献】
【０００４】
【特許文献１】特開２００５−１７２３５９号公報
【発明の概要】
【発明が解決しようとする課題】
【０００５】
本発明は、上記の事情に鑑みてなされたものであり、温室等の空間内を昇温する加温機の熱源として、木屑、木片、薪、剪定材、落ち葉、竹材、廃材等のバイオマスを燃料として用い、無煙無臭で燃焼させることによって環境的にも衛生的な状態で、加温機に熱源を安価に供給することができるようにした加温機熱源装置を提供することを目的とする。
【課題を解決するための手段】
【０００６】
上記の目的を達成するために、本発明における請求項１の加温機熱源装置は、温室等の空間内を昇温するようにした加温機に熱源を供給する加温機熱源装置において、天部と底部を開口した筒体の側周部に多数の空気孔を形成すると共に該筒体の内部に燃焼物を投入して燃焼させるようにした燃焼筒を受皿の内部に立設し、燃焼筒の上端の開口の上方に該燃焼筒の筒体の内径よりも小なる内径を有する内筒を設けると共に、該内筒の外周及び上方に空間を空けて包囲してなる外筒の天部に天板を設けて閉塞し、さらに外筒の下部付近の側部に開口して設けた排気筒を加温機の熱源導入口に接続するようにしたことを特徴とする。
【０００７】
また、本発明における請求項２の加温機熱源装置は、請求項１において、燃焼筒の上端の外周に設けたフランジの複数個所に燃焼筒の高さよりも長尺の支持棒を設け、該燃焼筒を複数の支持棒で立設状態に支持することによって該燃焼筒の高さを高くすることにより、該燃焼筒の内部に木材や竹材等のように長尺を有する可燃物を縦方向に投入して燃焼可能としたことを特徴とする。
【０００８】
また、本発明における請求項３の加温機熱源装置は、請求項１又は２において、燃焼筒を載置する支持台の下部に高さ調節装置を設けることによって燃焼筒の高さを調節可能にしたことを特徴とする。
【０００９】
また、本発明における請求項４の加温機熱源装置は、請求項１、２又は３において、燃焼筒の上端に該燃焼筒の筒体の内径よりも小なる内径に絞った絞り筒部材を被せ、該絞り筒部材の周部に設けた複数のボルトのねじ込み調節によって絞り筒部材の下部に形成される隙間を調節可能にしたことを特徴とする。
【００１０】
また、本発明における請求項５の加温機熱源装置は、請求項１、２、３又は４において、燃焼筒の外周に隙間を有して囲繞する燃焼部外筒を設け、該燃焼部外筒の下端外周に設けたフランジに複数のボルトをねじ込み、これらのボルトのねじ込み調節によって燃焼筒の下部に形成される隙間を調節可能にしたことを特徴とする。
【００１１】
また、本発明における請求項６の加温機熱源装置は、温室等の空間内を昇温するようにした加温機に熱源を供給する加温機熱源装置において、天部と底部を開口した筒体の側周部に多数の空気孔を形成すると共に該筒体の内部に燃焼物を投入して燃焼させるようにした燃焼筒を受皿の内部に立設し、燃焼筒の上端の開口の上方に該燃焼筒の筒体の内径よりも小なる内径に絞った絞り筒部材を被せ、該絞り筒部材の上部開口の上方に斜め方向に傾斜した排気筒を設け、該排気筒を加温機の熱源導入口に接続するようにしたことを特徴とする。
【００１２】
また、本発明における請求項７の加温機熱源装置は、請求項６において、燃焼筒の外周に隙間を有して囲繞する燃焼部外筒を設け、該燃焼部外筒の下端外周に設けたフランジに複数のボルトをねじ込み、該ボルトのねじ込み調節によって燃焼筒の下部に形成される隙間を調節可能にしたことを特徴とする。
【００１３】
さらに、本発明における請求項８の加温機熱源装置は、請求項１、２、３、４、５、６又は７において、燃焼筒の内部に木材や竹材等の可燃物を投入する場合、該可燃物を縦方向に入れて該可燃物の上部に着火するようにしたことを特徴とする。
【発明の効果】
【００１４】
本発明による加温機熱源装置によれば、温室等の空間内を昇温するようにした加温機に熱源を供給する加温機熱源装置において、天部と底部を開口した筒体の側周部に多数の空気孔を形成すると共に該筒体の内部に燃焼物を投入して燃焼させるようにした燃焼筒を受皿の内部に立設した構成としている。また、燃焼筒の上端の開口の上方に該燃焼筒の筒体の内径よりも小なる内径を有する内筒を設けると共に、内筒の外周及び上方に空間を空けて包囲してなる外筒の天部に天板を設けて閉塞し、さらに外筒の下部付近の側部に開口して設けた排気筒を加温機の熱源導入口に接続するようにした構成を有する。
【００１５】
このような構成により、木屑、木片、薪、剪定材、落ち葉、竹材、廃材等のバイオマスを燃料として、ある程度乾燥させた状態で燃焼筒の内部に入れ、この燃料の上部に焚き付けを入れて火をつけると、燃焼筒の上方に設けた内筒が燃焼筒よりも小なる内径を有することによって上昇気流が発生する。この上昇気流によって、燃焼筒の内部で発生した燃焼物の火炎は上方へ向けて上昇すると共に、燃焼筒の周りに形成された空気孔から、外方の空気が渦巻き状に攪拌しながら燃焼筒の中心方向に流入する。
【００１６】
このため、燃焼物から発生した可燃性ガスは燃焼筒内を上昇しながら燃焼を続け、さらに燃焼筒の上方にて該燃焼筒の筒体の内径よりも小なる内径を有する内筒の内部でも燃焼することによって、燃焼ガス中に残留した微細な可燃物が完全に燃焼して、無煙無臭の燃焼ガスとして排出される。この燃焼ガスが天板に当たることによって該天板を加温し、天板の外方の室内等を昇温することが可能となる。さらに、内筒内の燃焼ガスは内筒の外周を下方へ流下し、外筒の下部付近の側部に設けられた開口から排気筒を経て加温機の内部に排出され、加温器の熱源として供給されることになる。
【００１７】
従って、本発明の加温機熱源装置によれば、温室等の空間内を昇温する加温機の熱源として、比較的安価な木屑、木片、薪、剪定材、落ち葉、竹材、廃材等のバイオマスを燃料として用いることができ、無煙無臭で燃焼させることによって環境的にも衛生的な状態で、加温機に効率的に熱源を供給することが可能となる。
【００１８】
また、上記の燃焼においては、燃焼筒の内部において、燃焼物の表層に炭化物の層を作りながら燃焼物の内部に向かって熱分解を生じさせる。このような燃焼によって、最終的には燃焼物の全てが炭化され、受皿の内部で炭や灰として残留するため、その炭や灰を土壌改良材として使用することが可能となる。
【００１９】
また、本発明において、燃焼筒の上端の開口の上方に該燃焼筒の筒体の内径よりも小なる内径に絞った絞り筒部材を被せ、該絞り筒部材の上部開口の上方に斜め方向に傾斜した排気筒を設け、該排気筒を加温機の熱源導入口に接続するようにした構成とすることも可能である。このような構成により、燃焼筒内の火炎が直接的に排気筒に流入して、その熱源を加温機の内部に供給することが可能となるため、より高温度の熱源を加温機に供給することが可能となる。
【図面の簡単な説明】
【００２０】
【図１】本発明の実施例１における加温機熱源装置の排気筒を加温機に接続した状態を示す側面図であり、加温機熱源装置の内部は断面状態で示す。
【図２】本発明の実施例１における加温機熱源装置の断面図である。
【図３】本発明の実施例１における加温機熱源装置の２台の燃焼筒を走行台に上載して内筒の下部に入れ替えることによって連続的に燃焼するようにした側面図である。
【図４】（ａ）、(ｂ)は、本発明の実施例１における加温機熱源装置の２形態を示す断面図である。
【図５】（ａ）、(ｂ)は、本発明の実施例１及び２の加温機熱源装置に使用する絞り筒部材の２形態を示す側面図と上面図である。
【図６】本発明の実施例２における加温機熱源装置の排気筒を加温機に接続した状態を示す側面図であり、加温機熱源装置の内部は断面状態で示す。
【発明を実施するための形態】
【００２１】
以下、本発明の実施例について図面を参照しながら説明する。
【実施例１】
【００２２】
本実施例の加温機熱源装置１は、図１に示すように温室等の空間内を昇温するようにした加温機２に熱源を供給するため、燃焼筒３の上部に設けた内筒２０を包囲する外筒４の排気筒１３を加温機２の熱源導入口２ａに接続することによって使用される。
【００２３】
また、本実施例の加温機熱源装置１は、板部材からなる架台５を上段の架台５ａと中段の架台５ｂと下段の架台５ｃに配して構成し、各架台５の四方に形成した貫通孔（不図示）に長尺ネジ６、６・・・を挿通すると共に、各長尺ネジ６の周囲に形成してある雄ネジに螺合した複数のナット６ａで各架台５の上下面を締結することによって、上段と中段と下段の各架台５ａ、５ｂ、５ｃを一体的に結合した構成としている。
【００２４】
また、上記の構成において、図2に示すように、下段の架台５ｃの下方の設置面Gには2条のレール８、８が加温機２の方向に敷設され（図１参照）、このレール８、８に沿って走行する車輪９が下段の架台５ｃを走行可能に支持すると共に、下段の架台５ｃの上面には、加温機２の方向に対して直交する方向に２条のレール１０、１０が設けられている（図３参照）。
【００２５】
このような構成により、図１に示すように、上段と中段と下段の架台５ａ、５ｂ、５ｃは一体的に加温機２の方向に移動することができ、上記のように外筒４の側部の開口部4ａに設けた排気筒１３の端部を加温機２の熱源導入口２ａに接続することが可能となる。
【００２６】
さらに、図２に示すように、２条のレール１０、１０に走行台１１の下部に設けられた車輪１２、１２が上載されたことによって、走行台１１を加温機２に対して平行に移動することが可能となる（図３参照）。また、走行台１１には、後述する燃焼筒３を載置する支持台１４の高さを調節することが可能なジャッキ等による高さ調節装置１５が設けられている。この高さ調節装置１５を操作することによって、燃焼筒３の高さを調整し、燃焼筒３と内筒２０との隙間幅を調整することにより、この隙間を経て外方から内筒２０内へ流入する空気量を調節することが可能である。
【００２７】
なお、後述するように、燃焼筒３のフランジ３bの上面に、図４（ａ）に示すように、図５（ａ）又は(ｂ)に示す絞り筒部材２６を設け、ボルト２７ａの調節により、絞り筒部材２６の下部に形成される隙間を経て外方の空気を絞り筒部材２６内へ流入するようにしてもよい。
【００２８】
図２に示す燃焼筒３は、天部と底部を開口した筒体３ａの側周部に多数の空気孔１６を形成してあり、該燃焼筒３の内部に燃焼物を投入して燃焼させることが可能である。なお、この燃焼筒３は円筒形に形成されるほか、断面四角形の筒形、又はその他の断面多角形の筒形に形成してもよい。
【００２９】
また、上記の燃焼筒３には、その外周に筒体３ａを補強するための複数のリブ１７が形成され、上下に例えば2個ずつ形成されたリブ１７、１７を境にして、複数の空気孔１６が、上段の複数の空気孔１６ａと中段の複数の空気孔１６ｂと下段の複数の空気孔１６ｃに分けて形成されている。ただし、上段の複数の空気孔１６ａの形成密度は、中段の複数の空気孔１６ｂ及び下段の複数の空気孔１６ｃの形成密度よりも大きくなるように形成している。また、中段の複数の空気孔１６bは筒体３ａの中間付近の上下に配して形成され、これらの中段の空気孔１６bよりも形成密度を大にした下段の複数の空気孔１６cが筒体３ａの最下端に沿って一列に形成されている。
【００３０】
また、図２に示す燃焼筒３は、該燃焼筒３の上端の外周に設けたフランジ３bの四方の箇所に燃焼筒３の高さよりも長尺の支持棒７を設け、燃焼筒３を支持棒７で立設状態に支持することによって該燃焼筒３の高さを高く構成することにより、燃焼筒３の下部に空間Ｓ２が形成される。このように、燃焼筒３のフランジ３bを複数の支持棒７で支持する構成とした場合、燃焼筒３の内部に収容する薪や竹材等が燃焼筒３の高さよりも長い場合、燃焼筒３を支持棒７で持ち上げることによって対処することが可能となる。なお、燃焼筒３の内部に収容する薪や竹材等が燃焼筒３の高さよりも短い場合、又は木屑、木片、落ち葉等のように高さのない可燃物の場合、支持棒７は設ける必要がない。
【００３１】
また、上記の燃焼筒３は、支持台１４の上面に載置した受皿１９の内部に立設され、この受皿１９によって、燃焼物が燃焼した後の炭や灰等を収容することが可能となる。この受皿１９は燃焼部外筒１８の内部に収容され、この燃焼部外筒１８で燃焼筒３を包囲する構成としている。
【００３２】
また、燃焼部外筒１８の下端外周に設けられたフランジ１８ａ及びナット１８cに複数のボルト１８ｂをねじ込み、ボルト１８ｂのねじ込み調節によって燃焼筒３の下部に形成した隙間を調節可能としている。このように燃焼部外筒１８を設け、ボルト１８ｂのねじ込み調節を行うことにより、燃焼部外筒１８の下部の隙間から流入する空気量を調節すると共に、外方の空気を燃焼筒３の空気孔１６や燃焼筒３の下部の空間Ｓ２に流入することが可能となる。
【００３３】
さらに、本実施例の燃焼筒３の内部に木材や竹材等の可燃物を投入する場合、可燃物を縦方向に入れて、その可燃物の上部に着火し燃焼させるようにするのが望ましい。こうすることによって木材や竹等の可燃物を横に寝かした状態よりも、可燃物の燃焼時間を長く持続させることが可能となる。
【００３４】
一方、図２に示すように、燃焼筒３の天部の開口の上方に設けた内筒２０は、燃焼筒３の筒体３ａの内径よりも小なる内径を有し、中段の架台５bの中央に形成した開口穴２０から上方に立設した状態で形成されている。なお、上記の内筒２０は二重壁構造として、その内部の空間に断熱材を充填するようにしても良い。
【００３５】
さらに、内筒２０の外周及び上方に上部空間S１を空けて包囲してなる外筒４の天部は上段の架台５ａを天板として閉塞した構成とし、上記のように、外筒４の下部付近の側部の開口部４ａに加温機２の熱源導入口２ａに接続する排気筒１３が設けられた構成としている。なお、排気筒１３の途中の下部には灰受け１３ａが形成され、この灰受け１３ａは下部を開閉可能に設けた蓋部材１３bで閉塞した構成としている。
【００３６】
このような構成により、内筒２０から上昇する燃焼ガスによって天板（上段の架台５ａ）を加温することにより、天板５ａの外方の室内等を昇温することが可能となる。さらに、内筒２０内の燃焼ガスは内筒２０の外周を下方へ流下し、外筒４の下部付近の側部に設けられた開口４ａから排気筒１３を経て加温機２の内部に排出され、加温器２の熱源として供給されることになる。
【００３７】
図３は、上記のように構成した中段の架台５bの下部、即ち内筒２０の下部に複数の燃焼筒３を矢印で示すように移動させて入替え可能であることを示すものである。即ち、レール１０、１０上に例えば２台の走行台１１、１１を設け、夫々の走行台１１、１１に燃焼筒３、３を載置し、一台の燃焼筒３の内部に投入した燃焼物を内筒２０の下部で燃焼させている最中に、他方の燃焼筒３の内部に燃焼物を投入して待機させ、内筒２０の下部の燃焼筒３と入替えることによって、連続的な燃焼が可能となる。
【００３８】
上記のように構成された加温機熱源装置１を使用するには、図３に示すように、燃焼筒３の上部を開放した位置で燃焼筒３の内部に、木屑、木片、薪、剪定材、落ち葉、竹材、廃材等のバイオマス、さらには市販のモミガライト（商標名）等を燃焼物として投入する。そして、この燃料の上部に焚き付けを入れて火をつけた状態で内筒２０の下部に移動すると、この内筒２０が燃焼筒３よりも小なる内径を有することによって、燃焼筒３及び内筒２０の内部に上昇気流が発生する。この上昇気流によって、燃焼筒３の内部で発生した燃焼物の火炎は上方へ向けて上昇すると共に、燃焼筒３の周りに形成された空気孔から、外方の空気が渦巻き状に攪拌しながら燃焼筒３の中心方向に流入する。特に、燃焼筒３の上段に形成した多数の空気孔を経て流入する空気は、燃焼物から上方へ発生する火炎を渦巻状に拡散しながら燃焼筒３の中央へと集中させつつ上昇気流を形成する。
【００３９】
このように、燃焼物から発生した可燃性ガスは燃焼筒３内を上昇しながら燃焼を続け、さらに燃焼筒３の上部やその上方の縮小された内径の内筒２０の内部でも燃焼することによって、燃焼ガス中に残留した微細な可燃物が完全に燃焼し、無煙無臭の燃焼ガスとして排出される。そして、この燃焼ガスが天板（上段の架台５ａ）に当たることによって該天板を加温し、さらに内筒２０の外周を下方へ流下し、外筒４の下部付近の側部に設けられた開口４ａから排気筒１３を経て加温機２の内部に供給されることになる。
【００４０】
なお、燃焼筒３内において燃焼物から上昇する火炎を拡散しつつ中央へ集中させる燃焼を１次燃焼とすると、内筒２０において火炎が集中することによってより高温化された火炎が燃焼物からの燃焼しきれない微小の煤煙等を燃焼させることとなる。そして、この燃焼筒３内の火炎は、燃焼筒３の筒体３ａの内径よりも小なる径の内筒２０の内部で火炎の径を絞って上昇するという火炎の絞り効果を生じる。このため、排気筒２０の内部においても、火炎の温度が上昇して燃焼を促進するという効果が生じる。
【００４１】
従って、上記のように燃焼筒３内での１次燃焼後の燃焼空気を内筒２０内で２次燃焼させることが可能となり、燃焼筒３内にて燃焼しきれない微小の煤煙等があっても、内筒２０内の２次燃焼によって完全燃焼させることができ、外筒４の開口4ａからは無煙及び無臭の燃焼空気が排出される。
【００４２】
なお、図1に示す加温機２は、熱源導入口２ａの内部に燃焼室２１が設けられ、燃焼室２１は煙管２２を介して煙突２３に接続されている。また、加温機２の下部には空気吸入口２４が設けられ、この空気吸入口２４から吸引された冷気が加温機２の内部で昇温されて、上部の温風排出口２５から温風として排出され、温室等の空間を昇温することが可能となる。
【００４３】
ところで、上記のように構成された本実施例の加温機熱源装置１において、図4(ａ)に示すように、燃焼筒３の上部に絞り筒部材２６を被せた構成とすることができる。この絞り筒部材２６は、下部を燃焼筒３の内径と同様の内径にし、上部の内径２６ｃを内筒２０の内径と同様に形成することによって、この絞り筒部材２６の内径を燃焼筒３の内径よりも小なる内径としたものである。
【００４４】
なお、図５（ａ）及び(ｂ)に、絞り筒部材２６の２形態を示してあり、図５（ａ）は内径の異なる短筒２６ａ、２６bを２段構成に形成したものであり、図５(ｂ)は上方に窄まったテーパ形状に形成したものである。また、絞り筒部材２６の周部に設けた複数のボルト２７ａ及びナット２７bのねじ込み調節によって絞り筒部材２６の下部に形成される隙間を調節可能にすることが可能である。
【００４５】
このような絞り筒部材２６を燃焼筒３の上部に被せることによって、燃焼筒３と内筒２０との隙間に火炎が露呈しないようにすることができる。これは、外部からの風が燃焼筒３と内筒２０との隙間に吹き込む際の火炎の乱れを防止することができ、燃焼による火炎が上昇気流で安定して内筒２０の内部に向けて上昇することを可能とするものである。ただし、この絞り筒部材２６は、本実施例の加温機熱源装置１を室内等のように風が吹かないような場所では、必ずしも設ける必要のないものであり、状況に応じて設置するとよい。
【００４６】
また、本実施例の加温機熱源装置１は、図４(ｂ)に示すように構成することも可能である。即ち、支持台１４の上部に載置した受皿１９の内部に燃焼筒３を載置し、このとき燃焼筒３の下部に空間を形成せずに燃焼筒３の下端を受皿１９の底部に設置させた状態としている。また、燃焼筒３の外周には隙間をあけた状態で燃焼部外筒１８が設けられている。この燃焼部外筒１８は、下端の外周に設けられたフランジ１８ａに高さ調節可能に取り付けられた複数のネジ１８bを螺入してあり、各ネジ１８bの捻じ込み量によって燃焼部外筒１８の下部にできる隙間の高さを調節可能としている。
【００４７】
なお、このような燃焼部外筒１８の上部に、図５（ａ）又は(ｂ)に示すような絞り筒部材２６を被せることによって、図４(ｂ)に示す状態で使用することも可能である。
【実施例２】
【００４８】
本実施例は、図６に示すように、実施例１の加温機熱源装置１の燃焼筒３を同様の構成とし、実施例１において燃焼筒３の上方に形成していた内筒２０を設けることなく、内筒２０の代わりに斜め方向に傾斜した排気筒２８を設け、この排気筒２８の端部に設けた水平部２８ａの先端を加温機２の熱源導入口２ａに接続した状態で使用するようにしたものである。なお、本実施例の場合、燃焼筒３の周囲は実施例１の図４(ｂ)で示す燃焼部外筒１８を用いた構成としてあるが、図１、図２等に示す燃焼部外筒１８を用いた構成としてもよい。
【００４９】
従って、本実施例では、上段の架台５ａを設けることなく、中断の架台５bと下段の架台５cを実施例１のように設け、受皿１９、燃焼筒３、燃焼部外筒１８、支持台１４、高さ調節手段１５、走行台１１及びレール８、１０の敷設構造等を実施例１と同様に構成している。そして、燃焼筒３の外周に設けた燃焼部外筒１８の上端に絞り筒部材２６を載置することによって、該絞り筒部材２６で実施例１の内筒２０と同様に燃焼筒３の筒体３ａの内径よりも小なる内径に絞った構成とすることにより、燃焼筒３内の火炎に上昇気流を生じさせるようにしたものである。
【００５０】
この実施例のように構成した場合、燃焼筒３内の火炎が直接的に排気筒２８に流入して、その熱源を加温機２の内部に供給することが可能となるため、より高い温度の熱源を加温機２に供給することが可能となる。
【産業上の利用可能性】
【００５１】
本発明による加温機熱源装置は、温室等の空間内を昇温する加温機の熱源として、木屑、木片、薪、剪定材、落ち葉、竹材、廃材等のバイオマスを燃料として用い、無煙無臭で燃焼させることによって環境的にも衛生的な状態で、加温機に熱源を安価に供給することができるようにした加温機熱源装置として利用可能である。
【符号の説明】
【００５２】
１  加温機熱源装置
２  加温機
２ａ  熱源導入口
３  燃焼筒
３ａ  筒体
３b  フランジ
４  外筒
４ａ  開口
５  架台
5ａ  上段の架台（天板）
５b  中段の架台
５c  下段の架台
６  長尺ネジ
６ａ  ナット
７  支持棒
８  レール
９  車輪
１０  レール
１１  走行台
１２  車輪
１３  排気筒
１３ａ  灰受け
１３ｂ  蓋部材
１４  支持台
１５  高さ調節装置
１６  空気孔
１６ａ  上段の複数の空気孔
１６b  中段の複数の空気孔
１６c  下段の複数の空気孔
１７  リブ
１８  燃焼部外筒
１８ａ  フランジ
１８b  高さ調節ネジ
１８c  ナット
１９  受皿
２０  内筒
２０ａ  開口穴
２１  燃焼室
２２  煙管
２３  煙突
２４  空気吸入口
２５  温風排出口
２６  絞り筒部材
２６ａ、２６b  短筒
２６ｃ  絞り部材の内径
２７ａ  ボルト
２７b  ナット
２８  排気筒
２８ａ  排気筒の水平部
G  設置面
S１  上部空間
S２  下部の空間
【図１】
2014169826.tif 000003
【図２】
2014169826.tif 000004
【図３】
2014169826.tif 000005
【図４】
2014169826.tif 000006
【図５】
2014169826.tif 000007
【図６】
2014169826.tif 000008